(57)【要約】      （修正有）【課題】エンボス加工によるアンテナパターンの断線が防止されながら、優れたアンテナの利得を有して通信可能距離が長いＩＣカードを提供する。【解決手段】ＩＣカード10において、アンテナパターン24の外側ターンT2,T3のＬ字部L2,L3の横辺は、本体の外縁と氏名及び住所領域34にエンボス加工される最下行の文字との間に位置し、Ｌ字部L2,L3の縦辺は、本体の外縁と氏名及び住所領域34の左辺との間に位置する。アンテナパターン24の最内周ターンT1のＬ字部L1の横辺は、氏名及び住所領域34にエンボス加工される最下行の文字の近傍に位置し、且つ、文字の縦幅Hcに比べて大の幅を有し、Ｌ字部L1の縦辺は、氏名及び住所領域34の左辺の近傍に位置し、且つ、文字の横幅Wcに比べて大の幅を有する。【選択図】図５
2012003300.tif 000002
【特許請求の範囲】
【請求項１】
略長方形の板状の本体と、
前記本体の内部に配置された渦巻き状のアンテナパターンと、
前記アンテナパターンに電気的に接続されたＩＣチップとを備え、
前記本体は、縦幅及び横幅がそれぞれ規定された文字が少なくとも１行以上にてエンボス加工される長方形の氏名及び住所領域を有し、
前記アンテナパターンは、最内周の最内周ターン、及び、前記最内周ターンよりも外側に位置する少なくとも１つ以上の外側ターンを有し、
前記最内周ターン及び前記外側ターンは、前記氏名及び住所領域の左辺及び下辺に沿うＬ字部をそれぞれ有し、
前記外側ターンのＬ字部の横辺は、前記本体の外縁と前記氏名及び住所領域の最下行の文字との間に位置し、
前記外側ターンのＬ字部の縦辺は、前記本体の外縁と前記氏名及び住所領域の左辺との間に位置し、
前記最内周ターンのＬ字部の横辺は、前記氏名及び住所領域の最下行の文字の近傍に位置し、且つ、前記文字の縦幅に比べて大の幅を有し、
前記最内周ターンのＬ字部の縦辺は、前記氏名及び住所領域の左辺の近傍に位置し、且つ、前記文字の横幅に比べて大の幅を有する
ことを特徴とするＩＣカード。
【請求項２】
前記最内周ターンのＬ字部の横辺及び縦辺は、前記氏名及び住所領域にそれぞれ重なっていることを特徴とする請求項１に記載のＩＣカード。
【発明の詳細な説明】
【技術分野】
【０００１】
本発明は、アンテナを内蔵したＩＣカードに関する。
【背景技術】
【０００２】
キャッシュカードやクレジットカード等に代表されるＩＣカードには、ＩＣチップとともに、アンテナを内蔵しているものがあり、アンテナによって、非接触での使用が可能になっているものがある。
【０００３】
ＩＣカードには、保有者の識別番号や氏名等がエンボス加工によって刻印されているが、ＪＩＳ  Ｘ  ６３０２−１及びＩＳＯ／ＩＥＣ  ７８１１−１の規格によって、識別番号をエンボス加工してもよい領域１（識別番号領域）、及び、氏名等の必要なデータをエンボス加工してもよい領域２（氏名及び住所領域）がそれぞれ規定されている。
【０００４】
アンテナパターンは、通常、複数のターンからなるループアンテナであり、その配置や形状について、エンボス加工により断線しないように種々の提案がなされている。例えば、特許文献１が開示するＩＣカードでは、エンボスと干渉するアンテナパターンの下辺に、線幅を太くした補強部が設けられている。
また、特許文献２が開示するＩＣカードでは、アンテナパターンの下辺の幅が、エンボス加工される文字、数字及び記号等（以下、これらをまとめて単に文字という）の縦幅よりも広く形成されている。
【先行技術文献】
【特許文献】
【０００５】
【特許文献１】特開２００２−４２０８１号公報
【特許文献２】特許２００１−１６７２４２号公報
【発明の概要】
【発明が解決しようとする課題】
【０００６】
特許文献１が開示するＩＣカードにおいては、アンテナパターンの各ターンの下辺が、識別番号領域と氏名及び住所領域との間を延びている。また、特許文献２が開示するＩＣカードにおいては、アンテナパターンの最内周のターンの下辺が、識別番号領域に重なっている。
【０００７】
このため、特許文献１及び特許文献２が開示するＩＣカードでは、最内周のターンの上辺と下辺との間隔が狭く、アンテナパターンの開口面積が狭い。アンテナの利得は開口面積に比例するため、特許文献１及び特許文献２が開示するＩＣカードでは、アンテナの利得を高くして通信可能距離を長くすることが困難である。
【０００８】
そこで、アンテナの開口面積を広くするために、特許文献２の図２１に示されるように、氏名及び住所領域の左辺及び下辺とＩＣカードの外縁との間に、アンテナパターンの全ターンの左辺及び下辺を配置することが考えられる。
【０００９】
しかしながらこの場合、特許文献１が開示するＩＣカードのように、エンボスと干渉するアンテナパターンのターンの下辺に、他の部分よりも線幅を太くした補強部を設けるのみでは、文字の縦幅が補強部の線幅よりも大であるため、補強部がエンボス加工によって切断されてしまう虞がある。
【００１０】
また、特許文献２が開示するＩＣカードのように、全てのターンの下辺の幅を文字の縦幅よりも広くしながら、氏名及び住所領域の下辺とＩＣカードの下辺との間に全てのターンの下辺を配置することは、実現不可能である。
【００１１】
一方、特許文献１及び特許文献２が開示するＩＣカードでは、各ターンの左辺の幅について考慮されていない。氏名及び住所領域の左辺とＩＣカードの外縁との間に、全ターンの左辺を配置しようとする場合、ＩＣカード内でアンテナパターンの位置がずれたときに、最内周のターンの左辺が氏名及び住所領域に重なって断線が発生してしまう虞がある。
【００１２】
本発明は上述した事情に鑑みてなされ、その目的とするところは、エンボス加工によるアンテナパターンの断線が防止されながら、優れたアンテナの利得を有して通信可能距離が長いＩＣカードを提供することにある。
【課題を解決するための手段】
【００１３】
本発明の一態様によれば、略長方形の板状の本体と、前記本体の内部に配置された渦巻き状のアンテナパターンと、前記アンテナパターンに電気的に接続されたＩＣチップとを備え、前記本体は、縦幅及び横幅がそれぞれ規定された文字が少なくとも１行以上にてエンボス加工される長方形の氏名及び住所領域を有し、前記アンテナパターンは、最内周の最内周ターン、及び、前記最内周ターンよりも外側に位置する少なくとも１つ以上の外側ターンを有し、前記最内周ターン及び前記外側ターンは、前記氏名及び住所領域の左辺及び下辺に沿うＬ字部をそれぞれ有し、前記外側ターンのＬ字部の横辺は、前記本体の外縁と前記氏名及び住所領域の最下行の文字との間に位置し、前記外側ターンのＬ字部の縦辺は、前記本体の外縁と前記氏名及び住所領域の左辺との間に位置し、前記最内周ターンのＬ字部の横辺は、前記氏名及び住所領域の最下行の文字の近傍に位置し、且つ、前記文字の縦幅に比べて大の幅を有し、前記最内周ターンのＬ字部の縦辺は、前記氏名及び住所領域の左辺の近傍に位置し、且つ、前記文字の横幅に比べて大の幅を有することを特徴とするＩＣカードが提供される（請求項１）。
【００１４】
請求項１のＩＣカードによれば、最内周ターンのＬ字部の横辺が、氏名及び住所領域の最下行の文字の近傍に位置し、最内周ターンのＬ字部の縦辺が、氏名及び住所領域の左辺の近傍に位置している。このため、最内周ターンが氏名及び住所領域の内側に位置する先行技術の場合に比べて、アンテナパターンの開口面積が大きく、アンテナの利得が大きい。
【００１５】
一方、最内周ターンのＬ字部の横辺は、文字の縦幅よりも大の幅を有する。このため、本体におけるアンテナパターンの位置が縦方向にずれても、最内周ターンのＬ字部の縦辺がエンボス加工によって切断されることが防止される。
また、最内周ターンのＬ字部の縦辺は、文字の横幅よりも大の幅を有する。このため、本体におけるアンテナパターンの位置が横方向にずれても、最内周ターンのＬ字部の縦辺がエンボス加工によって切断されることが防止される。
【００１６】
具体的には、前記最内周ターンのＬ字部の横辺及び縦辺は、前記氏名及び住所領域にそれぞれ重なっている（請求項２）。
【発明の効果】
【００１７】
本発明によれば、エンボス加工によるアンテナパターンの断線が防止されながら、優れたアンテナの利得を有して通信可能距離が長いＩＣカードが提供される。
【図面の簡単な説明】
【００１８】
【図１】エンボス加工が施された一実施形態のＩＣカードを概略的に示す平面図である。
【図２】図１のＩＩ―ＩＩ線に沿う概略的な断面図である。
【図３】図１のＩＣカードを分解して示す概略的な斜視図である。
【図４】図１のＩＣカードに用いられたインレットを示す平面図である。
【図５】図４中の領域Ｖを拡大して示す平面図である。
【図６】比較例のＩＣカードに用いられたインレットを示す平面図である。
【発明を実施するための形態】
【００１９】
以下、本発明の一実施形態のＩＣカード１０について図面を参照しながら説明する。
図１はＩＣカード１０を示す平面図である。ＩＣカード１０は、例えば、所定形状を有するクレジットカードであり、ＩＣカード１０には、所有者の識別番号、有効期限、氏名等がエンボス加工によって刻設されている。
【００２０】
ＩＣカード１０の外形形状及び厚さは、例えば、ＩＳＯ／ＩＥＣ７８１０によって定められており、外形寸法は８６ｍｍ×５４ｍｍであり、厚さは０．７６ｍｍである。なお、ＩＣカード１０の四隅には角丸加工が施されている。
【００２１】
図２は、図１のＩＩ−ＩＩ線に沿う概略的な断面図であり、図３は、ＩＣカード１０を分解して示す概略的な斜視図である。
図２及び図３に示したように、ＩＣカード１０は多層構造を有する。具体的には、ＩＣカード１０は、第１カード基材１２、インレット１４、スペーサ１６、及び、第２カード基材１８からなる。
【００２２】
第１カード基材１２及び第２カード基材１８の各々は、単層又は多層構造を有し、本実施形態では、インレット１４側から順に、第１層１２ａ，１８ａ及び外層１２ｂ，１８ｂを有する。第１層１２ａ，１８ａの材料としては、例えば、白色の無延伸ＰＥＴ−Ｇ（グリコール変成ポリエチレンテレフタレート）樹脂を用いることができる。
外層１２ｂ，１８ｂは、ＩＣカード１０の外面をそれぞれ構成しており、外層１２ｂ，１８ｂの材料としては、例えば、透明の無延伸ＰＥＴ−Ｇ樹脂を用いることができる。
【００２３】
本実施形態では、第１カード基材１２と第２カード基材１８との間に、枠形状のスペーサ１６が配置されている。スペーサ１６は、例えば、白色の無延伸ＰＥＴ−Ｇ樹脂からなる。スペーサ１６の外形形状及び外形寸法は、第１カード基材１２と第２カード基材１８の外形形状及び外形寸法に一致しており、ＩＣカード１０の外縁は、第１カード基材１２、第２カード基材１８及びスペーサ１６によって構成されている。
【００２４】
換言すれば、第１カード基材１２、第２カード基材１８及びスペーサ１６は、略長方形の板状の本体を構成している。ただし、インレット１４の外形寸法を第１カード基材１２及び第２カード基材１８と同じにし、スペーサ１６を省略してもよい。
【００２５】
スペーサ１６の内側に配置されたインレット１４は、アンテナ支持シート２０を含む。アンテナ支持シート２０の材料としては、例えば、ＰＥＴ（ポリエチレンテレフタレート）、ＰＥＮ（ポリエチレンナフタレート）及びエポキシ等の樹脂や、ガラス繊維を含んでいるガラスエポキシ樹脂等を用いることができ、好ましくは、二軸延伸のＰＥＴ樹脂が用いられる。
【００２６】
アンテナ支持シート２０の外形形状は、第１カード基材１２及び第２カード基材１８の外形形状と相似した略長方形形状であるが、アンテナ支持シート２０の外形寸法は、第１カード基材１２及び第２カード基材１８の外形寸法よりも小さく、スペーサ１６の内側の寸法よりも僅かに小さい。
【００２７】
アンテナ支持シート２０には、ＩＣチップ２２が例えば接着剤を用いて実装されている。
また、アンテナ支持シート２０には、ＩＣチップ２２に電気的に接続されたアンテナパターン２４が設けられ、更に、アンテナ支持シート２０には整合用のコンデンサパターン２６が設けられている。コンデンサパターン２６は、ＩＣチップ２２に対し、アンテナパターン２４と電気的に並列に接続されている。
ＩＣチップ２２は、アンテナパターン２４を通じて、所定の周波数にて外部のカードリーダライタと通信可能であり、保有者は、非接触にて料金の支払い等が可能である。
【００２８】
アンテナパターン２４及びコンデンサパターン２６は、例えば、銅又はアルミニウム等の導体からなり、アンテナ支持シート２０に一体に設けられている。アンテナパターン２４及びコンデンサパターン２６は、スクリーン印刷方式、エッチング方式、若しくは、メッキ方式によって、アンテナ支持シート２０に一体に形成することができる。
なお、スペーサ１６は、アンテナ支持シート２０の厚さ及びアンテナパターン２４の厚さの合計に略対応する厚さを有する。
【００２９】
図４は、ＩＣカード１０の外縁形状とともに、図２及び図３中のインレット１４を詳細に示す平面図である。
アンテナパターン２４は、アンテナ支持シート２０のＩＣチップ２２側の面に設けられたループパターン２８と、反対側の面に設けられたジャンパパターン３０とからなる。
ループパターン２８は、アンテナ支持シート２０の外縁近傍に、当該外縁に沿うように渦巻き状に設けられている。ループパターン２８の巻回数、つまり、アンテナパターン２４のループアンテナとしての巻回数は、好ましくは３周程度に設定される。
【００３０】
ここで、ＩＣカード１０においては、ＪＩＳ  Ｘ  ６３０２−１及びＩＳＯ／ＩＥＣ  ７８１１−１：２００２によって、エンボス加工のための「識別番号領域」及び「氏名及び住所領域」が規定されている。図４中の一点鎖線で示した１９個の四角３２は、識別番号領域にエンボス加工される文字、数字又は記号（以下、これらをまとめて文字という）の位置及び大きさを示している。
【００３１】
また図４中には、「氏名及び住所領域」が、符号３４が付された一点鎖線の長方形で示されている。そして、本実施形態では、氏名及び住所領域３４に、四角３６で位置及び大きさを示したように、２行にて文字がエンボス加工される。各行には、最大２７個の文字をエンボス加工可能である。
【００３２】
図５は、図４中の領域Ｖを拡大して示す平面図である。
ループパターン２８は、最内周から順に、ターンＴ１、ターンＴ２、及び、ターンＴ３を含み、ターンＴ１，Ｔ２，Ｔ３の各々は、氏名及び住所領域３４の左辺及び下辺に沿うＬ字部Ｌ１，Ｌ２，Ｌ３を有する。
【００３３】
ターンＴ２，Ｔ３のＬ字部Ｌ２，Ｌ３の横辺は、氏名及び住所領域３４の下行の四角３６ｌの下辺とＩＣカード１０の外縁との間に位置する。そして、ターンＴ２，Ｔ３のＬ字部Ｌ２，Ｌ３の縦辺は、氏名及び住所領域３４の上行及び下行の一番左の四角３６ｕ，３６ｌの左辺と、ＩＣカード１０の外縁との間に位置する。
【００３４】
なお、ＪＩＳ  Ｘ  ６３０２−１及びＩＳＯ／ＩＥＣ  ７８１１−１：２００２では、氏名及び住所領域３４の左辺の位置は具体的には規定されておらず、ＩＣカード１０の左辺から一番左の四角３６ｕ，３６ｌの中心位置までの距離Ｌが７．６５±０．２５ｍｍと規定されている。また、これらの規格では、文字の間隔Ｐｃは２．５４ｍｍと規定されている。
【００３５】
外側のターンＴ２，Ｔ３のパターン幅Ｗｐ１は、全周に渡って一定であり、当然のことながらＬ字部Ｌ２，Ｌ３のパターン幅はパターン幅Ｗｐ１に等しい。これに対し、最内周のターンＴ１のパターン幅は、Ｌ字部Ｌ１を除く部分ではターンＴ２，Ｔ３のパターン幅Ｗｐ１に等しいが、Ｌ字部Ｌ１ではパターン幅Ｗｐ１に比べて拡大されている。
なお、Ｌ字部Ｌ１の幅は、内側に向かって拡大されており、ターンＴ１とターンＴ２との間の隙間の幅、及び、ターンＴ２とターンＴ３との間の隙間の幅は、全周に渡って同じである。
【００３６】
そして、Ｌ字部Ｌ１の横辺のパターン幅Ｗｐ２は、最下行の文字の縦幅（高さ）Ｈｃよりも大きく（Ｗｐ２＞Ｈｃ）、Ｌ字部Ｌ１の縦辺のパターン幅Ｗｐ３は、上行及び下行の文字の横幅Ｗｃよりも大きい（Ｗｐ３＞Ｗｃ）。なお、本実施形態では、文字の縦幅Ｈｃは３．６ｍｍであり、横幅Ｗｃは２．１ｍｍである。
【００３７】
従って、最内周のターンＴ１のＬ字部Ｌ１の横辺は、氏名及び住所領域３４の最下行の四角３６ｌの近傍に位置し、そして、最内周のターンＴ１のＬ字部Ｌ１の縦辺は、最も左側の四角３６ｕ，３６ｌの近傍に位置している。
なお、Ｌ字部Ｌ１の横辺が氏名及び住所領域３４の最下行の四角３６ｌの近傍に位置するという表現は、Ｌ字部Ｌ１の横辺が氏名及び住所領域３４に重なっており且つ最下行の四角３６ｌよりも外側に位置する場合、及び、Ｌ字部Ｌ１の横辺が、住所領域３４に重なっており且つ最下行の四角３６ｌに重なっている場合を含む。そして、Ｌ字部Ｌ１の縦辺が最も左側の四角３６ｕ，３６ｌの近傍に位置するという表現は、Ｌ字部Ｌ１の縦辺が氏名及び住所領域３４に重なっており且つ最も左側の四角３６ｕ，３６ｌよりも外側に位置する場合、及び、Ｌ字部Ｌ１の縦辺が氏名及び住所領域３４に重なっており且つ最も左側の四角３６ｕ，３６ｌに重なっている場合を含む。
【００３８】
また、最下行の四角３６ｌとは、実際に文字がエンボス加工される四角３６ｌのことをいう。これに対し。最も左側の四角３６ｕ，３６ｌは、距離Ｌによって規定される基準の四角３６ｕ，３６ｌであり、最も左側の四角３６ｕ，３６ｌには実際に文字がエンボス加工されなくてもよい。従って、最も左側の四角３６ｕ，３６ｌの近傍に位置するということは、氏名及び住所領域３４の左辺近傍に位置するということに等しい。
【００３９】
上述したＩＣカード１０は、例えば、第１層１２ａ，１８ａの素材、スペーサ１６、インレット１４をホットプレス（一次プレス）によって接合し、得られた接合物を外層１２ｂ，１８ｂの素材とともにホットプレス（二次プレス）することによって製造することができる。
なお、ホットプレスの回数は２回に限定されず、第１カード基材１２及び第２カード基材１８の層構成に応じて、インレット１４に対し、第１カード基材１２及び第２カード基材１８の素材を１回又は３回以上のホットプレスで接合してもよい。
【００４０】
そして、ＩＣカード１０のエンボス加工は、ＩＣカード１０の表側に凹型を配置し、ＩＣカード１０の裏側に凸型を配置し、これら凹型及び凸型にてプレスすることによって行われる。
【００４１】
上述した一実施形態のＩＣカード１０によれば、最内周のターンＴ１のＬ字部Ｌ１の横辺が、氏名及び住所領域３４の最下行の文字の近傍に位置し、最内周のターンＴ１のＬ字部Ｌ１の縦辺が、氏名及び住所領域３４の左辺の近傍に位置している。このため、最内周のターンＴ１が氏名及び住所領域３４の内側に位置する先行技術の場合に比べて、アンテナパターン２４の開口面積が大きく、アンテナの利得が大きい。
【００４２】
一方、最内周のターンＴ１のＬ字部Ｌ１の横辺は、文字の縦幅Ｈｃよりも大のパターン幅Ｗｐ２を有する。このため、ＩＣカード１０の本体におけるアンテナパターン２４の位置が縦方向にずれても、最内周のターンＴ１のＬ字部Ｌ１の縦辺がエンボス加工によって切断されることが防止される。
また、最内周のターンＴ１のＬ字部Ｌ１の縦辺は、文字の横幅Ｗｃよりも大のパターン幅Ｗｐ３を有する。このため、ＩＣカード１０の本体におけるアンテナパターン２４の位置が横方向にずれても、最内周のターンＴ１のＬ字部Ｌ１の縦辺がエンボス加工によって切断されることが防止される。
従って、このＩＣカード１０は、エンボス加工によるアンテナパターン２４の断線が防止されながら、アンテナの利得において優れている。
【実施例】
【００４３】
以下、実施例について説明する。
１．ＩＣカードの作製
（１）実施例１
実施例１として、図２、図３及び図５に示した構成を有するＩＣカードを５枚作製した。
実施例１の材料等を以下に示す。
〔第１カード基材及び第２カード基材〕
外層  ：太平化学製品株式会社製ＣＧ０３０３    ５０μm
第１層：太平化学製品株式会社製ＰＧ７００Ｍ  ３２５μm
【００４４】
〔アンテナパターン〕
作製方法：エッチング方式
材質  ：アルミニウム
アンテナパターンの厚さ：３０μｍ
パターン幅Ｗｐ１：０．７ｍｍ
パターン幅Ｗｐ２：３．８ｍｍ
パターン幅Ｗｐ３：２．８ｍｍ
ターン間の隙間：０．３ｍｍ
【００４５】
〔アンテナ支持シート〕
帝人デュポンフィルム株式会社製ＰＥＴ  ３８μm
〔スペーサ〕
太平化学製品株式会社製ＰＧ７００Ｍ  ５０μm
【００４６】
（２）比較例１
比較例１として、図６に示すインレット５０を用いた以外は実施例１の場合と同様にして、５枚のＩＣカードを作製した。
インレット５０は、アンテナパターン５２の形状においてのみインレット１４と異なり、アンテナパターン５２の外側のターンＴ２，Ｔ３の下辺の幅Ｗｐ４は、文字の縦幅Ｈｃよりも大である。このため、最内周のターンＴ１の下辺は、氏名及び住所領域３４のほぼ内側に位置している。
【００４７】
２．ＩＣカードの評価
（１）断線評価
実施例１及び比較例１の各５枚のＩＣカードの氏名及び住所領域にエンボス加工を施し、アンテナパターン２４，５２での断線の発生を確認した。実施例１及び比較例１のいずれのＩＣカードにおいても、断線は発生しなかった。
【００４８】
（２）通信可能距離
カードリーダ（ＶｉＶＯｔｅｃｈ社製ＶｉＶＯｐａｙ５０００）を用いて、実施例１及び比較例１の各５枚のＩＣカードの通信可能距離を測定した。５枚の通信可能距離の平均値を以下に示す。
実施例１：６０．６ｍｍ
比較例１：５６．６ｍｍ
これより、実施例１のＩＣカードの通信可能距離は、比較例１に比べて、７．１％増加していることがわかる。
【００４９】
本発明は、上述した実施形態及び実施例に限定されることはなく、これらに種々の変更を加えて実施可能である。また、上述した実施形態と公知技術とを組み合わせて実施してもよい。
例えば、上述した第１カード基材１２及び第２カード基材１８の層構造や材質は、一実施形態に限定されることはない。
【００５０】
また、ＩＣチップ２２、コンデンサパターン２６及びジャンパパターン３０の配置は、一実施形態に限定されることはない。
更に、一実施形態では、氏名及び住所領域に２行にて文字がエンボス加工されるが、少なくとも１行以上にて文字がエンボス加工されればよく、３行にて文字がエンボス加工されてもよい。また、文字の縦幅Ｈｃ及び横幅Ｗｃについても適宜変更可能である。
また更に、一実施形態では、最内周ターンＴ１のＬ字部Ｌ１の横辺と縦辺とが交わる角において、内縁及び外縁が小さい曲率半径のＲ形状を有していたが、これら内縁及び外縁のうち一方又は両方が、直角形状を有していてもよく、或いは、より大きな曲率半径のＲ形状を有していてもよい。
最後に、本発明は、非接触ＩＣカードの他、コンビ型やハイブリッド型ＩＣカードにも適用可能であるのは勿論である。
【符号の説明】
【００５１】
１０              ＩＣカード
１２              第１カード基材（本体）
１４              インレット
１６              スペーサ（本体）
１８              第２カード基材（本体）
２０              アンテナ支持シート
２２              ＩＣチップ
２４              アンテナパターン
３４              氏名及び文字領域
３６              エンボス加工される文字の大きさ及び位置を示す四角
３６ｌ            最下行にエンボス加工される文字の大きさ及び位置を示す四角
Ｔ１              最内周ターン
Ｔ２，Ｔ３        外側ターン
Ｌ１，Ｌ２，Ｌ３  Ｌ字部
Ｈｃ              文字の縦幅
Ｗｃ              文字の横幅
Ｗｐ１            外側ターンのパターン幅
Ｗｐ２            最内周ターンのＬ字部の横辺のパターン幅
Ｗｐ３            最内周ターンのＬ字部の縦辺のパターン幅
【図１】
2012003300.tif 000003
【図２】
2012003300.tif 000004
【図３】
2012003300.tif 000005
【図４】
2012003300.tif 000006
【図５】
2012003300.tif 000007
【図６】
2012003300.tif 000008